(57)【要約】【目的】  監視用テレビにおいて、画面上で特に監視したい被写体をクローズアップさせるには手動で操作器を操作していた。画面を見ながらの操作なので煩雑な点があった。【解決手段】  タッチパネル式ディスプレイと、映像信号検出回路を採用することで、画面の端部にある被写体を指で触れることで、カメラ部を移動させ、目的とする被写体を画面中央部に表示させる。【選択図】  図１
2004343815.tif 000002
【特許請求の範囲】
【請求項１】
テレビカメラと、該テレビカメラを遠隔制御する制御部と、該テレビカメラの取得した画像を画面上に表示するモニタと、上記テレビカメラに制御駆動信号を供給するための制御データを上記制御部に送る処理回路部とを有する撮像システムにおいて、
上記モニタは、上記画面上に表示された画像の指定された被写体の座標軸を検出し、該検出された座標軸を位置情報として上記処理回路部に供給し、
上記処理回路部は、上記位置情報に基づいて制御データを前記制御部に送出し、上記テレビカメラの映像信号を取り込み、上記指定された被写体を検出し、検出された被写体が上記画面上の中央部分に移動し、上記被写体の画面上で所定の大きさになった位置で上記制御部への上記制御データの送出を停止することを特徴とする撮像システム。
【請求項２】
テレビカメラと、該テレビカメラを遠隔制御する制御部と、該テレビカメラの取得した画像を画面上に表示するモニタと、上記テレビカメラに制御駆動信号を供給するための制御データを上記制御部に送る処理回路部とを有する撮像システムにおいて、
上記モニタの上記画面上に表示された画像の中で、指定された被写体の座標軸を位置情報として検出し、
上記位置情報に基づいて上記テレビカメラの映像信号を取り込み、上記指定された被写体を検出し、
上記検出された被写体を、上記画面上の中央部分に移動し、所定の大きさで表示することを特徴とする撮像方法。
【発明の詳細な説明】
【技術分野】
【０００１】
本発明は監視用テレビカメラシステムの操作に関するものである。
【背景技術】
【０００２】
従来からテレビカメラを用いた監視システムは広く使用されている（特許文献１参照。）。図４はその基本的な構成ブロックを示す図で、１は画像合成切換器でテレビカメラからの映像とパソコンからの映像を切換えあるいは合成し、出力する。２はテレビカメラ、３は遠隔操作が可能なズームレンズ、４は同じく遠隔操作が可能な電動雲台、５はモニタ、７は雲台とズームレンズの制御器、８はパソコンである。
【０００３】
図４を用いて、従来の技術について説明する。監視用テレビカメラシステムにおいて、モニタ５の画面上に写し出された被写体を詳細に監視しようとすると、該モニタ上に表示された図５に示す操作器画面５１によりテレビカメラ２に付属しているズームレンズ３及び電動雲台４に対して制御信号を供出し、被写体を画面上の中心及び拡大表示させる。画面５１において、５２はズームレンズ制御、５３はフォーカス制御、５４はチルト制御、５５はパン制御を行うボタンである。この時の操作は人間がモニタ画面を監視しながらマウスで選択し、クリックするか、タッチパネルにより、手動で行っている。
【０００４】
【特許文献１】特開平１０−１０５８４０号公報
【発明の開示】
【発明が解決しようとする課題】
【０００５】
モニタ画面を監視しながら、手動式で操作器を操作する方法では、カメラが目的とする被写体が画面の中央部に移動するまでの間操作し続けなくてはならず、操作員の負担が大きい。
【０００６】
例えば、従来の技術では、目的とする被写体をズームレンズや電動雲台を可動させて、クローズアップするためには、タッチパネルの場合、モニタ画面を監視しながら、画面上のスイッチに触れ続けなくてはならない。つまり、レンズや雲台が作動している間は指を画面上に触れ続けていなくてはならない。この時間は最大１０秒位かかるので、頻繁に操作をする場合には、操作として煩雑であった。
【課題を解決するための手段】
【０００７】
本発明は上記のような問題点を解決するために、タッチパネル式ディスプレイを画像モニタとして使用し写し出された目的とする被写体を指で触れることで、被写体の画面上での位置を検出し、詳細な監視ができるような位置へカメラ部を移動させる制御信号を供出するようにしたものである。
【発明の効果】
【０００８】
本発明により監視用テレビにおける操作上の負担が大幅に軽減される。
【発明を実施するための最良の形態】
【０００９】
以下にこの発明の一実施例を示すモニタ上の表示画面の一例を図１に示す。１０は被写体である。
【００１０】
図２はそのブロック構成を示す図である。同図に於いて、９は処理回路であり、他の図と共通する参照符号は同一物を示す。処理回路９における演算制御をパソコンのソフトウエア上で行う場合には、全体のハードウエアのブロック構成は従来のものと基本的に共通する。初めに全体の動作に付いて説明する。
【００１１】
テレビカメラ２からの画像はタッチパネルディスプレイ５に画像として写し出される。テレビカメラ２には、ズームレンズ３と電動雲台４が付属装備されている。タッチパネルディスプレイ５に表示された画像の中で図１（ａ）に示す目的とする被写体１０を指で触れると、ディスプレイ上での被写体の座標軸を検出し処理回路９に位置情報として供給する。タッチパネル上の位置座標の検出は、タッチパネル面上のセンサー（光センサー）を指で遮ることで、Ｘ軸、Ｙ軸上の座標を検出する周知のものである。 処理回路９では、タッチパネルディスプレイ５から送られる位置情報に対し、画面上のセンター方向へと被写体を移動させるよう、制御データを送出し、制御器７はズームレンズ３及び電動雲台４へ、制御駆動信号を供給する。これによりズームレンズ３及び電動雲台４は目的とする被写体１０が画面の中央部に位置するように移動する。
【００１２】
次に処理回路９ではカメラ２の映像信号を取り込み、映像信号上で目的とする被写体を検出する。映像信号上で目的とする被写体が中央に移動し被写体の画面上での大きさが画面高さの１／２になった位置でズームレンズ３、電動雲台４への制御信号の供給を停止させる。この結果得られる画像が図１（ｂ）である。これにより簡単な操作で画面内の端部に位置する被写体を中心部に拡大して表示することができる。
【００１３】
この動作を更に詳しく説明すると、指でタッチパネルの監視対象の位置が決まったら、処理回路９において、その位置を図３のように映像信号上でマーキングする。そしてマーキングの位置と画面中央までの移動時間を水平方向と垂直方向ともに電動雲台の移動速度から計算する。図３は映像信号と画面との関係を示す図である。
【００１４】
このときレンズの焦点距離は一定の値とする。
【００１５】
そして画面の中央方向へ移動させるべく、制御器を経由させて電動雲台へ制御信号を計算した移動時間だけ供給する。
【００１６】
この状態では被写体は画面のほぼ中央付近に移動する。
【図面の簡単な説明】
【００１７】
【図１】本発明の実施例における画面表示説明図。
【図２】本発明の一実施例のブロック図。
【図３】本発明の一実施例の説明図。
【図４】従来技術のブロック図。
【図５】従来技術による表示例の説明図。
【符号の説明】
【００１８】
１：テレビカメラ、  ２：電動ズームレンズ、  ３：電動雲台、  ４：タッチパネル式ディスプレイ、  ５：制御器、  ６：従来方式の制御器。
【図１】
2004343815.tif 000003
【図２】
2004343815.tif 000004
【図３】
2004343815.tif 000005
【図４】
2004343815.tif 000006
【図５】
2004343815.tif 000007